【事件の表示】
　特願２００１−３５７７０６「液晶装置、液晶装置の製造方法及び電子機器」拒絶査定不服審判事件〔平成１４年１０月２３日出願公開、特開２００２−３１１４４９〕について、次のとおり審決する。
【結　論】
　本件審判の請求は、成り立たない。
【理　由】
１．手続の経緯 　  
　本願は、平成１３年１１月２２日（優先権主張平成１３年２月６日）の出願であって、平成１６年６月１日付で拒絶査定がなされ、これに対し同年７月８日付で拒絶査定に対する審判請求がなされるとともに同年８月３日付で特許法第１７条の２第１項第３号の規定による手続補正がなされたものである。　  
　  
２．平成１６年８月３日付の手続補正についての補正却下の決定 　  
［補正却下の決定の結論］  
　平成１６年８月３日付の手続補正を却下する。  
　  
［理由］  
（１）補正の内容  
　本件補正は、補正前の請求項１を、下記のように補正することを含むものである。  
　  
「【請求項１】　第１基板と第２基板との間に液晶を配置して成る半透過反射型液晶装置において、
　前記第１基板に形成された反射性導電膜と、　
　該反射性導電膜上に積層されると共に該反射性導電膜の端縁からはみ出した部分を有する透光性の金属酸化物膜と、　
　互いに隣接する前記透光性の金属酸化物膜の間隙に対向する前記第２の基板に形成された遮光膜としてのブラックマスクと、　
　前記第１基板の外側から前記液晶に向けて光を照射する照明手段と　
を有し、前記ブラックマスクの幅は、互いに隣接する前記透光性の金属酸化物膜の間隔と等しく、互いに隣接する前記反射性導電膜の間隔より狭く形成されることを特徴とする半透過反射型液晶装置。」 　  
　  
　また、本件補正は、請求項１〜１３に記載した発明を特定するために必要な事項である、液晶装置について、「半透過反射型」との限定を行うものであって、特許法第１７条の２第４項第２号の特許請求の範囲の減縮を目的とするものである。　  
　そこで、本件補正後の請求項１に記載された発明（以下、「本願補正発明」という。）が特許出願の際独立して特許を受けることができるものであるか（特許法第１７条の２第５項において準用する同法第１２６条第４項の規定に適合するか）について検討する。  
　 
（２）引用刊行物記載の発明　  
　原査定の拒絶の理由において引用された特開２０００−６６１９９号公報（以下、「引用刊行物」という。）には、図面とともに以下の事項が記載されている。　  
　  
（ア）「【特許請求の範囲】
【請求項１】  透明な一対の第１及び第２基板と、該第１及び第２基板間に挟持された液晶層と、
前記第２基板の前記液晶層側の面上に形成されており、前記第２基板に垂直な方向から平面的に見て相互に夫々分断されている複数の反射層と、前記反射層に部分的に重ねて形成されていると共に平面的に見て前記反射層に重ならない部分を含む透明電極と、前記第２基板の前記液晶層と反対側に配置された照明装置とを備えたことを特徴とする液晶装置。」　
　  
（イ）「【０００１】
【発明の属する技術分野】本発明は、液晶装置の技術分野に属し、特に、反射型表示と透過型表示とを切り換えて表示することのできる液晶装置及びこの液晶装置を用いた電子機器の技術分野に属する。」　 
　  
（ウ）「【０００８】本発明は上述の問題点に鑑みなされたものであり、反射型表示と透過型表示とを切換え可能な液晶装置において、比較的簡単な装置構成を用いて、視差による二重映りや表示のにじみなどが発生せず、反射型表示時と透過型表示時の両方で高品位の画像表示が可能であると同時に装置信頼性が高い半透過反射型の液晶装置及びその液晶装置を用いた電子機器を提供することを課題とする。　
　・・・
【００１１】本発明の液晶装置では特に、反射層において透明電極が重なっている反射領域（非透過領域）で反射された外光は、該反射領域にある透明電極部分によって駆動される液晶部分を通過する。即ち、該反射領域にある透明電極部分により縦電界で駆動する液晶部分を用いて反射型表示を行える。他方、照明装置から発せられ、反射層の間隙に当たる透過領域（非反射領域）を透過する光源光は、当該反射層に重なっていない透明電極部分を通過し、該透過領域にある透明電極部分によって駆動される液晶部分を通過する。即ち、該透過領域にある透明電極部分により縦電界で駆動する液晶部分を用いて透過型表示を行える。このように、反射層に重なっている透明電極部分を用いて反射型表示時の液晶駆動を行い、反射層に重なっていない透明電極部分を用いて透過型表示時の液晶駆動を行うので、いずれの型の表示時にも縦電界で良好に液晶駆動を行うことが可能となり、各ドット内又は各画素内において液晶の配向方向が均一となり、配向方向の乱れに起因する表示品質の劣化を防止できる。尚、反射層において透明電極が重なっていない部分は、表示に寄与しない（即ち、コントラスト比を低下させる）ため、基本的に不要であり、限られた画像表示領域の有効利用の観点からも、この透明電極が重なっていない反射層部分は、設けないように平面レイアウトするのが好ましい。」  　
　
（エ）「【００３４】本発明の液晶装置の他の態様では、非駆動時が暗（黒）状態である。
【００３５】この態様によれば、非駆動時が暗状態であるので、透過型表示時に液晶が駆動されない画素間またはドット間からの光漏れを抑えることができ、よりコントラストが高い透過型表示を得ることができる。また、反射型表示時に、画素間やドット間からの表示に不要な反射光を抑えることができるので、よりコントラストが高い表示を得ることができる。このように一般にブラックマトリクス或いはブラックマスクと称される遮光膜を反射電極の間隙に対向する位置に設けることなく、透過型表示時及び反射型表示時におけるコントラストを向上させることが可能となる。加えて、このような遮光膜を設けることにより反射型表示時の明るさが低下する事態を未然に防ぐこともできる。」　  
　  
（オ）「【００４４】（第１実施形態）本発明に係る液晶装置の第１実施形態を図１から図６を参照して説明する。図１は本発明に係る液晶装置の第１実施形態の構造を示す概略縦断面図である。この実施形態は基本的に単純マトリクス型の液晶表示装置に関するものであるが、同様の構成によりアクティブマトリクス型の装置や他のセグメント型の装置、その他の液晶装置にも適用することは可能である。
【００４５】図１において、第１実施形態の液晶装置では、２枚の透明基板２０１及び２０２の間に液晶層２０３が枠状のシール材２０４によって封止された液晶セルが形成されている。液晶層２０３は、所定のツイスト角を持つネマチック液晶で構成されている。上側の透明基板２０１の内面上にはカラーフィルタ２１３が形成され、このカラーフィルタ２１３には、Ｒ（赤）、Ｇ（緑）、Ｂ（青）の３色の着色層が所定パターンで配列されている。カラーフィルタ２１３の表面上には透明な保護膜２１２が被覆されており、この保護膜２１２の表面上に複数のストライプ状の透明電極２１１がＩＴＯ（Indium Tin Oxide）膜などにより形成されている。透明電極２１１の表面上には配向膜２１０が形成され、所定方向にラビング処理が施されている。
【００４６】一方、下側の透明基板２０２の内面上には、上記カラーフィルタ２１３の着色層毎に形成されたストライプ状の反射層２１６上に反射層２１６より一回り面積の広いストライプ状の透明電極２１５が透明電極２１１と交差するように複数配列されている。
【００４７】尚、ＴＦＤ素子やＴＦＴ素子を備えたアクティブマトリクス型の装置である場合には、各透明電極２１５は矩形状に形成され、アクティブ素子を介して配線に接続される。
【００４８】反射層２１６はＣｒやＡｌなどにより形成され、その表面は透明基板２０１の側から入射する光を反射する反射面となっている。透明電極２１５の表面上には配向膜２１４が形成され、所定方向にラビング処理が施されている。　
【００４９】このように第１実施形態では、所定間隔を隔ててストライプ状に配列された複数の反射層２１６の各間隙が、バックライトからの光源光を透過する機能を担う。このような反射層２１６の間隔は、０．０１μｍ以上２０μｍ以下であることが好ましい。このようにすることで、人間が認識することが困難であり、間隙を設けたことで生じる表示品質の劣化を抑えることができ、反射型表示と透過型表示を同時に実現できる。また、反射層２１６の間隙は反射層２１６に対して、５％以上３０％以下の面積比で形成することが好ましい。このようにすることで、反射型表示の明るさの低下を抑えることができるとともに、反射層の間隙から液晶層に導入される光源光によって透過型表示が実現できる。　
　・・・　
【００５６】次に図１を参照して、以上の如く構成された本実施形態における反射型表示及び透過型表示について説明する。
【００５７】先ず反射型表示の場合、図の上側から当該液晶装置に入射する外光は、偏光板２０５、位相差板２０６及び散乱板２０７をそれぞれ透過し、カラーフィルタ２１３、液晶層２０３を通過後、反射層２１６によって反射され、再び偏光板２０５から出射される。このとき、液晶層２０３への印加電圧によって明状態と暗状態、及びその中間の明るさを制御することができる。
【００５８】また透過型表示の場合、バックライトからの光は偏光板２０８及び位相差板２０９によって所定の偏光となり、反射層２１６の形成されていない間隙部分より液晶層２０３及びカラーフィルタ２１３に導入され、その後、散乱板２０７、位相差板２０６を透過する。このとき、液晶層２０３への印加電圧に応じて、偏光板２０５を透過（明状態）する状態と吸収（暗状態）する状態、及びその中間の状態（明るさ）を制御することができる。
【００５９】ここで反射型表示と透過型表示について、図３から図６を用いて更に詳しく説明する。図３は、ＴＦＤ素子を用いたアクティブマトリクス型液晶装置に本発明を適用したときの下側透明基板２０２の正面概略図である。走査線５０１に接続されたＴＦＤ素子（またはＭＩＭ素子）５０２が、島状のＡｌ反射層５０３上に積層形成されておりＡｌ反射層５０３よりも面積が一回り広い島状のＩＴＯ透明電極５０４に接続されている。尚、 図３においては、ＩＴＯ透明電極５０４はＡｌ反射層５０３を完全に覆うようには形成されてはいないが、もちろん、ＩＴＯ透明電極５０４は、Ａｌ反射層５０３を完全に覆うように形成されていても構わない。 ＩＴＯ透明電極５０４がＡｌ反射層５０３を完全に覆うように形成されていれば、バックライトからの光をより多く液晶層に透過させることができるのでより明るい透過型表示が実現する。図４は、単純マトリクス型の液晶装置に本発明を適用したときの下側透明基板２０２の一例における正面概略図である。液晶セルの上側透明基板内面に形成されたストライプ状のＩＴＯ透明電極６０１に交差するように、下側透明基板内面にＡｌ反射層６０２及びＡｌ反射層６０２よりも面積が一回り広いストライプ状のＩＴＯ透明電極６０３が形成されている。尚、 図４においては、ＩＴＯ透明電極６０３はＡｌ反射層６０２を完全には覆うように形成されてはいないが、もちろん、ＩＴＯ透明電極６０３はＡｌ反射層６０２を完全に覆うように形成されていても構わない。 ＩＴＯ透明電極６０３がＡｌ反射層６０２を完全に覆うように形成されていれば、バックライトからの光をより多く液晶層に透過させることができるのでより明るい透過型表示が実現する。また図５は、単純マトリクス型の液晶装置に本発明を適用したときの下側透明基板２０２の他の例における正面概略図である。液晶セルの上側透明基板内面に形成されたストライプ状のＩＴＯ透明電極６０１に交差するように、下側透明基板内面に島状のＡｌ反射層６０２’の各辺よりも幅が一回り広いストライプ状のＩＴＯ透明電極６０３が形成されている。更にまた図６は、単純マトリクス型の液晶装置に本発明を適用したときの下側透明基板２０２の他の例における正面概略図である。液晶セルの上側透明基板内面に形成されたストライプ状のＩＴＯ透明電極６０１に交差するように、下側透明基板内面にＡｌ反射層６０２”及びＡｌ反射層６０２”よりも面積が一回り広いストライプ状のＩＴＯ透明電極６０３が形成されている。図４の例では、Ａｌ反射層６０２がＩＴＯ透明電極６０３の中央に重なっているのに対し、図６の例ではＡｌ反射層６０２”がＩＴＯ透明電極６０３の片側に寄って重なっている
反射型表示時には、液晶セルに入射した外光を反射層５０３（図３の場合）、反射層６０２（図４の場合）、反射層６０２’（図５の場合）又は反射層６０２”（図６の場合）により反射させる。つまり、外光は反射層５０３、６０２、６０２’又は６０２”に入射したものだけが液晶層に印加された電圧によって変調される。透過型表示時は、バックライトから液晶セルに入射した光のうち、反射層５０３、６０２、６０２’又は６０２”の間隙を通った光源光だけが、液晶層に導入される。しかし、画素電極またはドット電極以外に入射した光は、表示に関係がなく、透過型表示のコントラストを低下させるだけであるので、遮光膜（ブラックマトリクス層）や液晶層の表示モードをノーマリーブラックとすることで、遮断する。即ち、Ａｌ反射層５０３、６０２、６０２’又は６０２”と重なり合っていないＩＴＯ透明電極５０４又は６０３部分に入射するバックライトからの光によって、透過型の表示が可能になる。　　
　・・・　
【００６３】更に、液晶セルの上側の面に配置した散乱板２０７は、Ａｌ反射層２１６によって反射された反射光を広角に出射させることができるので、広視野角の液晶装置が実現される。」　  
　  
（カ）「【００８３】（第４実施形態）本発明に係る液晶装置の第４実施形態を図９及び図１０を参照して説明する。図９は本発明に係る液晶装置の第４実施形態の構造を示す概略縦断面図である。この実施形態は基本的に単純マトリクス型の液晶表示装置に関するものであるが、同様の構成によりアクティブマトリクス型の装置や他のセグメント型の装置、その他の液晶装置にも適用することは可能である。
【００８４】この実施形態では、２枚の透明基板４０１及び４０２の間に液晶層４０３が枠状のシール材４０４によって封止された液晶セルが形成されている。液晶層４０３は、誘電異方性が負のネマチック液晶で構成されている。上側の透明基板４０１の内面上には、複数のストライプ状の透明電極４０９がＩＴＯなどによって形成されていて、透明電極４０９の表面上には液晶を垂直に配向させる配向膜４１０が形成され、所定方向にラビング処理が施されている。このラビング処理によって、液晶分子はラビング方向に約８５度のプレティルト角を有している。ＴＦＤ素子やＴＦＴ素子を備えたアクティブマトリクス型の装置である場合には、透明電極４０９は矩形状に形成され、アクティブ素子を介して配線に接続される。
【００８５】一方、下側の透明基板４０２の内面上には、感光性のアクリル樹脂によって高低さ約０．８μｍの凹凸が形成されており、その表面上に１．０重量％のＮｄを添加したＡｌを２５ｎｍの厚みでスパッタし、その後ストライプ状（図４又は図６参照）或いは島状（図３又は図５参照）にパターニングして、反射層４１１を形成する。この反射層４１１上には、保護膜４１２を介して、カラーフィルタ４１４が形成され、このカラーフィルタ４１４には、Ｒ、Ｇ、Ｂの３色の着色層が所定パターンで配列されている。カラーフィルタ４１４の表面上には透明な保護膜４１５が被覆されており、この保護膜４１５の表面上に複数のストライプ状の透明電極４１６がＩＴＯ膜などにより、上記カラーフィルタ４１４の着色層毎に上記透明電極４０９と交差するように形成されている。透明電極４１６の表面上には配向膜４１７が形成される。なお、この配向膜４１７にはラビング処理を施さない。　
　・・・　
【００８７】この実施形態では、透過型表示のときに各ドット間の領域から光が漏れるのを防ぐために、カラーフィルタ４１４の各着色層の間に形成された遮光部であるブラックマトリクス層４１３が平面的にほぼ対応して設けられている。ブラックマトリクス層４１３はＣｒ層を被着したり、感光性ブラック樹脂で形成する。　
　・・・　
【００９０】次に図９を参照して、以上の如く構成された本実施形態における反射型表示及び透過型表示について説明する。
【００９１】先ず反射型表示の場合、図の上側から当該液晶装置に入射する外光は、偏光板４０５、位相差板４０６をそれぞれ透過し、液晶層４０３を通過後、カラーフィルタ４１４を通過し反射層４１１によって反射され、再び偏光板４０５から出射される。このとき、液晶層４０３への印加電圧によって明状態と暗状態、及びその中間の明るさを制御する。
【００９２】また透過型表示の場合、バックライトからの光は偏光板４０７及び位相差板４０８によって所定の偏光となり、反射層４１１の各間隙より液晶層４０３に導入され、カラーフィルタ４１４、液晶層４０３を通過後、位相差板４０６を透過する。このとき、液晶層４０３への印加電圧に応じて、偏光板４０５から透過（明状態）した状態と吸収（暗状態）した状態、及びその中間の明るさを制御することができる。　
　・・・　
【００９５】更に凹凸を付与した反射層４１１は、反射光を広角に反射させることができるので、広視野角の液晶装置が実現される。」　  
　
（キ）また、図９からは、ブラックマトリクス層４１３が隣接するＩＴＯ膜４１６の間隙に対応している事項が見て取れる。　
　
　上記（ア）〜（キ）から、引用刊行物には、次の発明（以下、「引用発明」という。）が記載されていると認められる。　　 
　 
「一対の透明基板と、該一対の透明基板間に挟持された液晶層と、上側の透明基板の前記液晶層側の面上に形成されており、Ｒ（赤）、Ｇ（緑）、Ｂ（青）の３色の着色層が所定パターンで配列されたカラーフィルタと、カラーフィルタの表面上に形成されている複数のストライプ状のＩＴＯ透明電極と、下側の透明基板の前記液晶層側の面上に形成されており、前記下側の透明基板に垂直な方向から平面的に見て相互に夫々分断されている複数のＡｌ反射層と、前記反射層に部分的に重ねて形成されていると共に平面的に見て前記反射層に重ならない部分を含むＩＴＯ透明電極と、前記下側の透明基板の前記液晶層と反対側に配置された照明装置とを備え、前記反射層に重なっている透明電極部分を用いて反射型表示時の液晶駆動を行い、前記反射層に重なっていない透明電極部分を用いて透過型表示時の液晶駆動を行うことにより反射型表示と透過型表示とを切り換えて表示することのできる半透過反射型の液晶装置において、前記液晶層の表示モードを非駆動時が暗（黒）状態であるノーマリーブラックとするか、あるいは、遮光膜（ブラックマトリクス層）を設けることにより、画素電極またはドット電極以外に入射した光を遮断して、透過型表示時に液晶が駆動されない画素間またはドット間からの光漏れを抑えるようにした半透過反射型の液晶装置」　 
　　 
（３）対比　 
　本願補正発明と引用発明を対比する。　  
　  
（ａ）引用発明の「上側の透明基板」、「下側の透明基板」、「ＩＴＯ透明電極」、「Ａｌ反射層」、「照明装置」、及び「遮光膜（ブラックマトリクス層）」が、それぞれ、本願補正発明の「第２基板」、「第１基板」、「透光性の金属酸化物膜」、「反射性導電膜」、「照明手段」、及び「遮光膜としてのブラックマスク」に相当することは明らかである。　  
　
（ｂ）引用発明の「前記反射層に部分的に重ねて形成されていると共に平面的に見て前記反射層に重ならない部分を含むＩＴＯ透明電極」は、本願補正発明の「該反射性導電膜上に積層されると共に該反射性導電膜の端縁からはみ出した部分を有する透光性の金属酸化物膜」に相当することは明らかである。　
　
　したがって、両者は、　  
「第１基板と第２基板との間に液晶を配置して成る半透過反射型液晶装置において、　
　前記第１基板に形成された反射性導電膜と、　
　該反射性導電膜上に積層されると共に該反射性導電膜の端縁からはみ出した部分を有する透光性の金属酸化物膜と、　
　遮光膜としてのブラックマスクと、　
　前記第１基板の外側から前記液晶に向けて光を照射する照明手段と　
を有する半透過反射型液晶装置。」　  
である点で一致し、次の点で相違する。　  
　  
相違点：　  
　本願補正発明が、ブラックマスクを「互いに隣接する前記透光性の金属酸化物膜の間隙に対向する第２の基板に形成」し、「ブラックマスクの幅は、互いに隣接する前記透光性の金属酸化物膜の間隔と等しく、互いに隣接する前記反射性導電膜の間隔より狭く形成」しているのに対し、引用発明はブラックマスクをどの基板のどこにどの程度の幅で形成するのか明らかでない点。  
　  
（４）判断　　 
　上記相違点につき検討すると、引用刊行物には、遮光部であるブラックマトリクス層をカラーフィルタの各着色層の間に形成する事項が記載されており（段落【００８７】参照。）、引用発明において、遮光膜（ブラックマトリクス層）を、カラーフィルターが形成されている上側の透明基板（本願補正発明の「第２基板」に相当している。）に形成することは、引用刊行物の記載から当業者に自明である。　
　そして、ブラックマスクを、画素以外から出射する光を遮断するために、互いに隣接する透光性の金属酸化物膜の間隙に対向する位置に配置するとともに、遮光の度合いを勘案しつつ、その幅を適切なものに設定することは技術常識であるから、この技術常識に基づいて、互いに隣接する透光性の金属酸化物膜の間隙に対向する前記第２基板の位置に配置するとともに、その幅について、厳密に金属酸化物膜の間隔と等しくし、その結果、当然なことであるが反射性導電膜の間隔より狭く形成することは、当業者が必要に応じて適宜選択しえた設計事項にすぎない。　
　また、ブラックマスクの幅の設定に関して、引用刊行物には、図９においてブラックマトリクス層４１３が隣接するＩＴＯ透明電極４１６の間隙に対向して配置されている事項が記載され（摘記（キ））、明細書において「【００８７】この実施形態では、透過型表示のときに各ドット間の領域から光が漏れるのを防ぐために、カラーフィルタ４１４の各着色層の間に形成された遮光部であるブラックマトリクス層４１３が平面的にほぼ対応して設けられている。」（摘記（オ））と記載されている。よって、引用刊行物の記載からも、図９に記載のものと同様に、引用発明においても、金属酸化物膜の間隙から漏れる光を遮断するために、互いに隣接する透光性金属酸化物膜の間隙に対応する位置にブラックマスクを配置するとともに、ブラックマスクの幅を金属酸化物膜の間隔とほぼ等しくし、反射性導電膜の間隔より狭く形成することは、当業者にとって容易なことである。　
　
　しかも、本願補正発明によってもたされる効果は、引用発明、引用刊行物の記載事項、及び技術常識に基づいて、当業者が予測し得る程度のものにすぎない。　  
　
　したがって、本願補正発明は、引用刊行物に記載された発明、引用刊行物の記載事項、及び技術常識に基づいて、当業者が容易に発明をすることができたものであるから、特許法第２９条第２項の規定により、特許出願の際独立して特許を受けることができないものである。　
　  
（５）むすび  
　以上のとおり、本件補正は、特許法第１７条の２第５項において準用する同法第１２６条第５項の規定に違反するので、特許法第１５９条第１項において読み替えて準用する同法第５３条第１項の規定により却下すべきものである。　  
　  
３．本願発明について  
（１）本願発明 　  
　平成１６年８月３日付の手続補正は上記のとおり却下されたので、本願の請求項に係る発明は、平成１６年４月３０日付手続補正によって補正された明細書及び図面の記載からみて、その特許請求の範囲の請求項１〜１３に記載された事項によって特定されるものと認められるところ、請求項１に係る発明は次のものである。  
　  
「【請求項１】　第１基板と第２基板との間に液晶を配置して成る液晶装置において、
　前記第１基板に形成された反射性導電膜と、
　該反射性導電膜上に積層されると共に該反射性導電膜の端縁からはみ出した部分を有する透光性の金属酸化物膜と、
　互いに隣接する前記透光性の金属酸化物膜の間隙に対向する前記第２の基板に形成された遮光膜としてのブラックマスクと、
　前記第１基板の外側から前記液晶に向けて光を照射する照明手段と
を有し、前記ブラックマスクの幅は、互いに隣接する前記透光性の金属酸化物膜の間隔と等しく、互いに隣接する前記反射性導電膜の間隔より狭く形成されることを特徴とする液晶装置。」（以下、「本願発明」という。）   
　  
（２）引用刊行物記載の発明　  
　原査定の拒絶理由に引用された刊行物の記載事項は、上記「２．（２）」に記載したとおりである。 　  
　 
（３）対比・判断 　 
　本願発明は、前記２．で検討した本願補正発明から、液晶装置について、「半透過反射型」との限定を省いたものである。  
　そうすると、本願発明の構成要件の全てが含まれる本願補正発明が、前記２．（４）に記載したとおり、上記引用刊行物記載の発明、引用刊行物に記載の事項、及び技術常識に基づいて、当業者が容易に発明をすることができたものであるから、本願発明も、同様の理由により、上記引用刊行物記載の発明、引用刊行物に記載の事項、及び技術常識に基づいて当業者が容易に発明をすることができたものである。　 
　  
（４）むすび 　  
　以上のとおり、本願発明は、引用刊行物記載の発明に基づいて当業者が容易に発明をすることができたものであるから、特許法第２９条第２項の規定により特許を受けることができない。  
　  
　よって、結論のとおり審決する。